(57)【要約】【課題】  サーバーを収納するラックにおいて、サーバーの側面から突出するピンをマウントレールのスライド部に簡単に支持し、ピンの脱落を防止する。【解決手段】  ラックにマウントレール４を取り付け、マウントレール４のインナーレール６に樹脂レール７をスライド可能に支持する。樹脂レール７に支持部材８を回動可能に挿着し、支持部材８の周囲に略環状の開閉部１３を突設する。サーバーの頭付きピン９を開閉部１３の切欠１５に通して支持部材８の嵌合溝１８に嵌合し、サーバーを樹脂レール７に支持する。この状態で、サーバーをラック内部に収納し、支持部材８のレバー１９をマウントレール４のアウターレール５に係合させ、支持部材８を回動し、嵌合溝１８を開閉部１３の抜止壁１６で自動的に塞ぐ。【選択図】  図７
2010061388.tif 000002
【特許請求の範囲】
【請求項１】
サーバーを収納するラックにマウントレールの固定部を取り付け、マウントレールのスライド部にサーバーの側面から突出するピンを支持し、サーバーをラックにスライド可能にマウントする構造において、
前記マウントレールのスライド部に支持部材を回動可能に取り付け、支持部材にピンが嵌合する嵌合溝と、マウントレールの固定部に係合可能な係合片とを設け、スライド部に嵌合溝を開閉する開閉部を形成し、嵌合溝にピンを嵌合した状態で、サーバーをマウントレールの固定部側へスライドし、固定部と係合片との係合により支持部材を回動し、開閉部により嵌合溝を塞いで、ピンを支持部材に抜け止めしたことを特徴とするサーバーマウント構造。
【請求項２】
前記スライド部と支持部材とに噛合部を形成し、開閉部が嵌合溝を塞いだ状態で、噛合部により支持部材の回動を規制した請求項１記載のサーバーマウント構造。
【発明の詳細な説明】
【技術分野】
【０００１】
本発明は、ラックにサーバーをスライド可能にマウントする構造に関する。
【背景技術】
【０００２】
従来、図８、９に示すように、サーバー５２を収納するラック（図示略）にマウントレール５４を取り付け、マウントレール５４のインナーレール５６にサーバー５２をマウントする技術が知られている。サーバー５２の両側面には六角頭付きピン５９が突設され、インナーレール５６に切欠６５と抜け止め片８０とが設けられている。そして、ピン５９のシャフト部５９ａを切欠６５に嵌合し、抜け止め片８０によってピン５９の頭部５９ｂを押えかつ切欠６５を塞いで、ピン５９の脱落を防止するように構成されている。
【０００３】
なお、特許文献１には、サーバー載置台をマウントレールのスライド部に支持し、ラック前方へスライドさせるサーバー収納用ラックが記載されている。
【特許文献１】特開２０００−３２３８７３号公報
【発明の開示】
【発明が解決しようとする課題】
【０００４】
しかし、図８、図９の従来技術によると、ピン５９を切欠６５に挿入するときに、抜止片８０を指で押さえながらピン５９を挿入し、挿入後に抜止片８０をピン５９と係合する位置に戻して固定していた。このため、ピン５９をインナーレール５６に支持するのに手間がかかるという問題点があった。また、抜止片８０がピン５９の頭部５９ｂに乗り上げてしまったり、抜止片８０を戻し忘れたりすると、ピン５９が切欠６５に正確に固定されず、使用中にインナーレール５６から抜け落ちてしまうというおそれもあった。
【０００５】
本発明の目的は、上記課題を解決し、サーバーに突設したピンをマウントレールのスライド部に簡単に支持できるとともに、ピンの脱落を確実に防止できるサーバーマウント構造を提供することにある。
【課題を解決するための手段】
【０００６】
上記目的を達成するために、本発明のサーバーマウント構造は、サーバーを収納するラックにマウントレールの固定部を取り付け、マウントレールのスライド部にサーバーの側面から突出するピンを支持し、サーバーをラックにスライド可能にマウントする構造において、マウントレールのスライド部に支持部材を回動可能に取り付け、支持部材にピンが嵌合する嵌合溝と、マウントレールの固定部に係合可能な係合片とを設け、スライド部に嵌合溝を開閉する開閉部を形成し、嵌合溝にピンを嵌合した状態で、サーバーをマウントレールの固定部側へスライドし、固定部と係合片との係合により支持部材を回動し、開閉部により嵌合溝を塞いで、ピンを支持部材に抜け止めしたことを特徴とする。
【０００７】
また、本発明のサーバーマウント構造は、スライド部と支持部材とに噛合部を形成し、開閉部が嵌合溝を塞いだ状態で、噛合部により支持部材の回動を規制したことを特徴とする。
【発明の効果】
【０００８】
本発明のサーバーマウント構造によれば、支持部材の嵌合溝にピンを嵌合したのちに、サーバーをマウントレールの固定部側へスライドすると、固定部と係合片との係合により支持部材が回動し、スライド部の開閉部が嵌合溝を自動的に塞ぐ。したがって、ピンをマウントレールのスライド部に簡単に支持できるとともに、スライド部からのピンの脱落を防止できるという効果がある。
【０００９】
また、開閉部が嵌合溝を塞いだ状態では、支持部材とスライド部の噛合部によって支持部材の回動が規制される。このため、サーバーをラックに収納したときのみならず、引き出したときも、嵌合溝を継続して閉塞状態に保持し、ピンの脱落を確実に防止できるという効果がある。
【発明を実施するための最良の形態】
【００１０】
以下、本発明の実施形態を図面に基づいて説明する。図１は、サーバーマウント構造の全体的な構成を示す。このサーバーマウント構造１では、サーバーラックのマウントアングル３に二本のマウントレール４が水平に取り付けられている。マウントレール４は、前後のマウントアングル３に固定されるアウターレール５と、アウターレール５にスライド可能に支持されたインナーレール６と、インナーレール６にスライド可能に支持された樹脂レール７とから構成されている。
【００１１】
図２は、マウントレール４にサーバー２を支持する構成を示す。サーバー２の左右両側面には複数の六角頭付きピン９が突設されている。マウントレール４のスライド部である樹脂レール７には、ピン９の頭部を支持する前後一対の支持部材８が設けられている。そして、インナーレール６をアウターレール５から前方へ引き出し、サーバー２をインナーレール６の上方から左右の樹脂レール７の間に配置し、ピン９の頭部９ｂ（図６参照）を支持部材８に支持するようになっている。
【００１２】
図３は図２のＡ部を拡大して樹脂レール７を示し、図４は支持部材８を示す。樹脂レール７には、支持部材８を回動可能に挿入する二つの取付穴１１が形成されている。取付穴１１の内周面には凹凸の噛合部１２が形成され、支持部材８の外周面にも同じ形状の噛合部２５が形成され、双方の噛み合いによって支持部材８の回動が規制されている。支持部材８の外向き端面２０（図４ａ参照）には凹溝２１が設けられ、コインやドライバーを凹溝２１に差し込むための丸穴２３がインナーレール６に形成されている（図２参照）。
【００１３】
支持部材８の内向き端面２４（図４ｂ参照）には、六角頭付きピン９の頭部９ａを嵌合するＵ字形の嵌合溝１８が上開きに形成されている。支持部材８の外周には、レバー１９が嵌合溝１８の上開き口１７と反対側に突出するように形成されている。樹脂レール７の内向き面には、開閉部１３が支持部材８を取り囲むように略環状に形成され、開閉部１３にレバー１９の可動範囲（支持部材８の回動角度）を制限する開口１４と、嵌合溝１８の上開き口１７を開く切欠１５と、上開き口１７を塞ぐ抜止壁１６とが形成されている。
【００１４】
図５、図６、図７は、サーバー２のマウント方法を支持部材８の作用と合わせて示す。図５、図６に示すように、サーバー２のマウントにあたり、まず、マウントレール４のインナーレール６をアウターレール５からラック前方に引き出し、サーバー２の側面から突出する六角頭付きピン９の頭部９ｂを樹脂レール７の上方から支持部材８の嵌合溝１８に落し入れる。このとき、支持部材８は、嵌合溝１８の上開き口１７が真上を向く位相で噛合部１２，２５により停止状態に保持されているため、頭部９ｂをサーバー２と樹脂レール７との狭い隙間に通して嵌合溝１8にスムーズに嵌入することができる。
【００１５】
また、嵌合溝１８は樹脂レール７に挿着した支持部材８に形成されているので、従来とは異なり、サーバー２のマウントに際して、ピン９のシャフト部９ａがインナーレール７に閊えるおそれがなく、ピン９と樹脂レール７との位置合わせを容易に行うことができる。したがって、ピン９の長さやサーバー２の横寸法が微妙に異なっていたり、マウントレール４が曲がっていたりした場合でも、サーバー２をマウントレール４のスライド部に簡単かつ確実にマウントすることができる。
【００１６】
マウントしたのちには、サーバー２を後方（図５の右方）へスライドしてラックの内部に収納し、インナーレール６をアウターレール５の内側に格納する。すると、図７に示すように、支持部材８のレバー１９がアウターレール５の前側端面５ａに係合し、支持部材８が開閉部１３の内側で矢印方向に回動する。そして、嵌合溝１８の上開き口１７の一部が開閉部１３の抜止壁１６によって塞がれ、ピン９が支持部材８に抜け止めされ、同時に、噛合部１２，２５によって支持部材８の戻り回動が規制される。
【００１７】
したがって、サーバー２の収納操作に連動して支持部材８を回動し、ピン９を支持部材８に自動的に抜け止めし、ピン９の脱落を確実に防止できる。また、支持部材８は噛合部１２，２５によって抜止位置に保持されているので、サーバー２を引き出したときでも、嵌合溝１８の上開き口１７が開くおそれがなく、ピン９を継続的に抜け止めできる。なお、サーバー２を取り外すときには、レバー１９がサーバー２と樹脂レール７の間に位置しているので、支持部材８をインナーレール６の外側から回動する。この場合、コイン等をインナーレール６の丸穴２３に通して支持部材８の凹溝２１に差し込み、支持部材８を逆方向に回動することで、ピン９を嵌合溝１８から容易に取り出すことができる。
【００１８】
本発明は上記実施例に限定されるものではなく、以下に例示するように、発明の趣旨を逸脱しない範囲で各部の形状や構成を適宜に変更して実施することも可能である。
（１）図６に示す機構において、樹脂レール７を省き、支持部材８をマウントレール４のスライド部であるインナーレール６に直接取り付けること。
（２）図７に示す機構において、レバー１９にかえてピン、ネジ、突起、凹部等の係合部を支持部材８に設け、サーバー２の収納時に、係合部をマウントレール４のアウターレール５または別の固定部に係合させること。
【図面の簡単な説明】
【００１９】
【図１】本発明の実施例を示すサーバーマウント構造の全体斜視図である。
【図２】サーバーとマウントレールを示す斜視図である。
【図３】図２のＡ部を拡大して樹脂レールと支持部材を示す斜視図である。
【図４】支持部材を示す斜視図である。
【図５】頭付きピンを支持部材の嵌合溝に嵌合した状態を示す側面図である。
【図６】図５のＢ−Ｂ線断面図である。
【図７】頭付きピンを支持部材に抜け止めした状態を示す側面図である。
【図８】従来のサーバーマウント構造を示す斜視図である。
【図９】図８のＣ部拡大斜視図である。
【符号の説明】
【００２０】
１    サーバーマウント構造
２    サーバー
４    マウントレール
５    アウターレール
６    インナーレール
７    樹脂レール（スライド部）
８    支持部材
９    六角頭付きピン
１３  開閉部
１８  嵌合溝
１９  レバー（係合部）
【図１】
2010061388.tif 000003
【図２】
2010061388.tif 000004
【図３】
2010061388.tif 000005
【図４】
2010061388.tif 000006
【図５】
2010061388.tif 000007
【図６】
2010061388.tif 000008
【図７】
2010061388.tif 000009
【図８】
2010061388.tif 000010
【図９】
2010061388.tif 000011